(57)【要約】【課題】  古新聞等不用な紙類を積み重ねて収容したままで堅く結束して容易に取り出すことのできる優れた機能性とともに美麗な外観を備えた不用紙結束補助機能付き整理箱をより低廉な価格にて提供する。【解決手段】  天面が開口した段ボール製整理箱の側壁を内側板と外側板が頂部で繋ながった二重壁にすることによってより堅牢な構造にする。同時に、該側壁の頂部を額縁形状にすることによって段ボールのチープな印象をカバーする。さらに、結束された荷を取り出し易くするために収容位置を規制する部材を箱の内側コーナー部に設ける。このシンプルな構造によって整理箱本体の側壁外周のほぼ全面を広告その他の印刷可能なスペースとして確保する。【選択図】図１
0003208750.tif 000002
【実用新案登録請求の範囲】
【請求項１】
不用な紙類を積み重ねて収容したままで結束して取り出すための不用紙結束補助機能の付いた整理箱であって、
天面フラップのない底ワンタッチ組み立て式段ボール箱において、各側壁の内側板と外側板が額縁状頂部を介して繋がった二重壁構造に形成されると同時に、該各側壁に紐の挟持部を備え、
長手辺２７．５ｃｍ〜４１ｃｍ、短手辺２１ｃｍ〜３２ｃｍ、深さ１５ｃｍ〜４０ｃｍの該段ボール箱の内側―コーナーに沿って、高さ１５ｃｍ〜４０ｃｍ、厚み０．４ｃｍ〜１１ｃｍの略Ｌ字型柱状部材（収容位置規制用コーナー部材）が着脱自在立設されている、
以上の構成を特徴とする不用紙結束補助機能付き整理箱。
【請求項２】
外周面にブラックレター書体のフレーズないし文章ないしはランダムな文字列が印刷されていることを特徴とする請求項１の不用紙結束補助機能付き整理箱。
【考案の詳細な説明】
【技術分野】
【０００１】本考案は、古新聞など不用な紙類を積み重ねて収容したままで結束して取り出すための不用紙結束補助機能の付いた整理箱に関するものである。
【背景技術】
【０００２】古新聞や雑誌、広告、さまざまなパンフレット、ダイレクトメール、ＯＡ用紙等々、不用になった紙類を紐で結束して資源回収用に搬出するのは日本らしい優れた美風とはいえ、それなりにかなり厄介な作業をともなう。不用になった紙を空き箱や紙袋に蓄めてそのまま居室やオフィスに置くのはいかにも不体裁なので、押し入れなどに収納すれば、これはまた扉の開閉や出し入れが面倒である。そして、資源回収用に結束する際には、空き箱などにいったんストックした紙をふたたび取り出して整えなければならない。とくに子供や女性、高齢者にとっては、まとまった量を束ねる場合には扱い難く、せっかく整えたスタック層がくずれたり、結束紐の位置が極端にずれることがあって大変難渋する。こうした面倒や不都合を軽減するために、従来から、古新聞等を集積収容したまま結束して取り出すためのさまざまな容器ないしラック等の考案や市販品がある。しかし、それらは、容器の底部や側部の開閉機能、あるいは大きな切り欠きを設けるなど、積み重ねて収容した不用紙を結束して取り出すための構造が煩瑣であり、そのために外観が拙いわりに高価である。さもなければ、荷の取出し時に容器ごと逆さにしなければならない、あるいは、結束がルーズになって荷がくずれやすい、荷と容器内壁との摩擦抵抗が強くて荷を取り出し難い、などなどの欠点がある。
【考案の概要】
【考案が解決しようとする課題】
【０００３】上記の欠点をすべて解消する優れた機能と外観を備えた整理箱を極めて安価にて提供する。
【課題を解決するための手段】
【０００４】整理箱本体を安価で堅牢かつ印刷容易、リサイクル可能な段ボール製にする。また、天面が開口した該段ボール箱の側壁を内側板と外側板が頂部を介して繋ながった二重壁にすることによってさらに堅牢な構造に形成し、同時に、該側壁の頂部を額縁状にすることによって段ボールのチープな印象をカバーする。【０００５】収容位置を規制して余裕スペースを確保するために、横断面略Ｌ字形の柱状部材（以下、収容位置規制用コーナー部材と呼称する）を整理箱本体内側のコーナー部に沿って着脱自在に設け、結束した荷を取り出す直前に該部材を引き抜くことによって整理箱本体の内壁と結束した荷の間の摩擦抵抗を著しく低下させる構成にする。このシンプルな構造によって、シンプルな整理箱の側壁外周のほぼ全面を広告その他の印刷可能なスペースとして確保する。
【考案の効果】
【０００６】前記考案によって不用な紙類がバラつくことなく集積収容されるので、より引き締まった結束が可能であり、簡単容易に荷を取り出すことができる。さらに、結束した荷を取り出し易くするための煩瑣な仕組みの必要性がないため、堅牢でシンプルな構造による十分な機能とともに、箱の側壁外周のほぼ全面が広告その他の印刷可能なスペースとして確保される。該スペースに印刷される協賛広告ないしスポンサーの名称やメッセージなどの広告情報は、堅牢な整理箱の使用開始時から使用終了時まで（通常７年以上使用可能である）の長期に亘ってエンドユーザーや訪問者その他多くの者の目に触れることになり、整理箱の安定性ととともにアトラクティブな印刷によって極めて効率的な広告表示機能が維持継続される。【０００７】前記したように本考案に係る本体はほぼ単純な箱体なので、蓋の材質次第でどのようなインテリアにもマッチさせることが可能で、書類や子供用品その他の物品のインテリア整理箱としても機能する。
【図面の簡単な説明】
【０００８】
【図１】本考案実施のための第一形態のＡ斜視図  Ｂ底面図  ＊図２Ａ以外の表面印刷は省略。
【図２】Ａ前記第一形態における整理箱本体が折り畳まれた状態を示す正面図  Ｂ組み立て途中を示す縮小略図  Ｃ組み立て後の整理箱本体を示す縮小斜視図  ＊図２Ａ以外の表面印刷は省略。
【図３】Ａ前記第一形態における収容位置規制用コーナー部材を示す斜視図  Ｂ該部材ブランクシートを示す正面図  Ｃ組み立て途中を示す略図
【図４】前記第一形態の使用状態図  Ａ紐をセットした状態を示す略図  Ｂ収容位置規制用コーナー部材を設置した状態を示す平面図  Ｃ新聞を積み入れて各紐留めから紐を外した状態を示す斜視図  Ｄ結束完了後に収容位置規制用コーナー部材を引き抜いた状態を示す平面図  Ｅ箱から取り出した結束荷を示す略図  ＊図２Ａ以外の表面印刷は省略。
【考案を実施するための形態】
【０００９】以下、本考案の実施の形態を図１〜図４に基づずいて説明する。
【００１０】図１は、本考案を実施するための第一の形態を示す斜視図である。整理箱本体１は、底ワンタッチ組み立て式段ボール箱の額縁状頂部３を介して外側板５ａ、５ｂ、５ｃ、５ｄと内側板６ａ、６ｂ、６ｃ、６ｄが繋がった二重壁構造に組み立てられたものである（図２参照）。
【００１１】図４に示す各側壁頂部切り込み７ａ、７ｂ、７ｃ、７ｄは予め配置される結束紐を仮留めするための挟持機能であり、各側壁中央から約１．５ｃｍ（収容位置規制用コーナー部材の厚みの半分）外れて位置する。各側壁下端の略半円形切り込み８ａ、８ｂ、８ｃ、８ｄは紐を下端中央域に固定する場合の挟持機能である。前記したように該側壁は二重なので、紐の挟持には内側板切り込みを使用し、外側板切り込みによって外面に露出する紐を覆い隠すことができる。
【００１２】図３Ａは、結束した荷を取り出し易くするために設置される収容位置規制用コーナー部材２を示す斜視図である。該部材を箱本体の内壁コーナー部に沿って立設することによって、収容位置を規制して余裕スペースを確保することができる。該部材は、図３Ｂに示すような段ボール製略長方形ブランクシートの相対する両端から罫線９ａ、９ｂ、９ｃ、９ｆ、９ｅ、９ｄに即して折り込み、両端に施された嵌合凸部四片１０ａ、１０ｂ、１０ｃ、１０ｄを該ブランク中央域上部と下部の嵌合ホール１１ａ、１１ｂにて左右の其々二片を嵌め入れ（図３Ｃ参照）縦長と横長の四角柱を計二本形成し、縦長四角柱１４のロック用差込み片１２を横長四角柱１５のロック用差し込み穴１３に係合させて高さ約２５ｃｍ、厚みが約３ｃｍで横断面が略Ｌ字形を成すように組み立てて固定したものである
【００１３】整理箱の大きさは、Ａ４サイズ用紙を基準にして収容位置規制用コーナー部材の厚み分を足した縦幅約３６ｃｍ、横幅約２６ｃｍで、深さは約２５．５ｃｍである。
【００１４】生成り段ボールのナチュラルな質感を生かし、該整理箱側壁外周面に旧い書体のアルファベット文（いわゆるブラックレター）の印刷４を施すことによって、従来の輸送用包装用としての段ボール箱の不粋なイメージを払拭し、シックでおしゃれなインテリア整理箱として使用できるようにする。
【００１５】以下は、前記第一の形態における紐の配置例と使用法の一例である。
（１）切り込み７ｃ、８ｃ、８ａ、７ａ、７ｂ、８ｂ、８ｄ、７ｄの順に紐１６を挟んでセットする。（図４Ａ参照、破線は視点によって不可視の部分の紐を示す）
（２）長辺部短辺部ともに紐留め位置から遠いほうのコーナーに収容位置規制用コーナー部材を立設する（図４Ｂ参照）。その際クリップなどで本体に仮留めすればより安定する
（３）随時、古新聞１７を積み入れて適宜集積したところで各切り込み８ａ、８ｂ、８ｃ、８ｄ、７ａ、７ｂ、７ｃ、７ｄから紐を外す（図４Ｃ参照）。
（４）結束後、収容位置規制用コーナー部材を引き抜くようにして箱から取り外し、余裕スペースをひろげる（図４Ｄ参照）。
（５）結束した荷をとり出す（図４Ｅ参照）。
【００１６】本考案は紙類以外の結束にも応用可能である。云うまでもないが、以上は本考案を実施するための形態の一例であって、考案の範囲を限定することは意図していない。考案の要旨を逸脱しない範囲で、省略や変形、様々なバリエーションが可能であり、適宜寸法や配置、組合せを変更することができる。例えば、収容位置規制用コーナー部材の厚みを増すことによって該部材の中に紐の巻き玉を収納することが可能であり、該形態における整理箱本体は相応に大きくなる。
【符号の説明】
【００１７】１整理箱本体      ２収容位置規制用コーナー部材      ３額縁状頂部
４ブラックレター印刷      ５ａ、５ｂ、５ｃ、５ｄ外側板
６ａ、６ｂ、６ｃ、６ｄ内側板      ７ａ、７ｂ、７ｃ、７ｄ頂部紐留め
８ａ、８ｂ、８ｃ、８ｄ下端紐留め      ９ａ、９ｂ、９ｃ、９ｄ、９ｅ、９ｆ折り罫線１０ａ、１０ｂ、１０ｃ、１０ｄ嵌合凸部      １１ａ、１１ｂ嵌合ホール
１２ロック用差し込み片      １３ロック用差し込み穴      １４縦長四角柱
１５横長四角柱      １６紐      １７古新聞
１８収容位置規制用コーナー部材を引き抜いた部分
【図１】
0003208750.tif 000003
【図２】
0003208750.tif 000004
【図３】
0003208750.tif 000005
【図４】
0003208750.tif 000006